(57)【要約】【課題】化粧を施す際に、額を露出して頭髪が邪魔にならないようにするために、髪を簡易に留めることのできる髪留めを提供する。【解決手段】髪留めシート１は、薄く柔軟性のある基体シート２をベースとし、基体シート２の表側上に、多数の突起３がほぼ全面にわたって林立している。そして突起３が髪と絡みついて十分な保持力を有するように、突起３には、支柱３ａの上端に球状の絡み部３ｂを設ける。化粧を施す際に、髪を持ち上げた状態で髪留めシート１の表側を押しつけるだけで、髪が持ち上げられた状態に保持される。【選択図】図２
2009082691.tif 000002
【特許請求の範囲】
【請求項１】
基体シートの表面に絡み部を設けた多数の突起を林立し、該絡み部が頭髪と絡み合って髪留めする髪留めシート。
【請求項２】
突起は、支柱と、該支柱の上部に設けた絡み部から構成されていることを特徴とする請求項１記載の髪留めシート。
【請求項３】
球形の絡み部からなることを特徴とする請求項２記載の髪留めシート。
【請求項４】
キノコ形の絡み部からなることを特徴とする請求項２記載の髪留めシート。
【請求項５】
支柱の上部を左右に枝分かれさせた絡み部から構成されていることを特徴とする請求項２記載の髪留めシート。
【請求項６】
支柱の先端を下向きとなるまで湾曲してフック状にした絡み部から構成されていることを特徴とする請求項２記載の髪留めシート。
【請求項７】
突起は、ループ状に立設され、ループの頂部を切り欠いて絡み部とされていることを特徴とする請求項１記載の髪留めシート。
【請求項８】
突起は、ループ状に立設され、ループの側部を切り欠いて絡み部とされていることを特徴とする請求項１記載の髪留めシート。
【発明の詳細な説明】
【技術分野】
【０００１】
本発明は、化粧を施す際に、額を露出して頭髪が邪魔にならないようにする髪留めシートに関するものである。
【背景技術】
【０００２】
従来、顔に化粧を施す際には、布製のヘアバンドやヘアピンなどの髪留めによって、髪、特に前髪を持ち上げた状態に髪留めしている。しかし、ヘアバンドは鉢巻き状に頭部の全周に渡って締め付けて固定するものであり、セットした頭髪を乱すおそれがある。また、線材を二つ折りしたヘアピンはクリップ式であり、係るクリップ式の髪留めでは、指で拡げて髪を挟み込んで留める必要があった。
【０００３】
一方、特許文献１には滑り止めを施したカチューシャと呼ばれるヘアバンドが開示されている。このカチューシャは、頭の形に沿うように略半円形状に成形されたプラスチック製のヘアバンドである。このカチューシャの内面側に、モノフィラメント状からなる多数の突起を植え付けた滑止めシートが接着されている。この滑り止めシートの多数の突起が髪の毛と絡んで、ヘアバンドの滑り止めとしての機能を発揮するものである。すなわち、特許文献１の発明は、カチューシャの脱落を防止するために滑り止めシートが使用されている。
【０００４】
【特許文献１】実開平６−５８８０１号公報
【発明の開示】
【発明が解決しようとする課題】
【０００５】
解決しようとする問題点は、髪を簡易に留めることのできる髪留めを提供することである。
【課題を解決するための手段】
【０００６】
本発明は、基体シートの表面に絡み部を設けた多数の突起を林立し、絡み部が頭髪と絡み合って簡易に髪留めすることのできることを主要な特徴とする。
【発明の効果】
【０００７】
本発明の髪留めは、基体シート上に絡み部を設けた多数の突起物を林立して形成しているため、髪に髪留めシートを押さえるだけで、突起が頭髪と絡み合って頭髪がその位置に留められるという利点がある。
【発明を実施するための最良の形態】
【０００８】
以下、この発明の実施例を詳細に説明する。
【実施例１】
【０００９】
図１〜図３は、本発明の髪留めシートの実施例１を示し、第１図は使用状態を示す概略図である。
【００１０】
髪留めシート１は、図２、図３に示すように、取り扱いに適したほぼ横１０ｃｍ、縦６ｃｍの略長方形に形成された薄く柔軟性のある基体シート２をベースとし、基体シート２の表面上に、多数の突起３がほぼ全面にわたって林立して形成されている。なお、実施例１では、基体シート２の表面側の全面に突起３を形成しているが、適宜、突起３を設けていない部分を設けることもできる。図３は、この実施例１の突起３を模式的に拡大して示し、直径０．２ｍｍ、高さ３．７ｍｍの支柱３ａの上端に直径０．４５ｍｍ程度の球状の絡み部３ｂからなる。そして絡み部３ｂが髪と絡みついて十分な保持力を有するように、突起３の密度は５０本／ｃｍ２とされている。
【００１１】
顔に化粧を施す際の髪留めシート１の使用方法を説明すると、図１に示すように、額に垂れた前髪を手で持ち上げる。この状態で髪留めシート１の突起３を形成した表面を髪に押しつけると、多数の突起３が髪の毛に絡み合って、前髪は手で持ち上げた状態に保持される。すなわち、額部分を覆い隠している前髪が持ち上げられて額部分が露出した状態に保持されるために、前髪に邪魔されないで化粧を十分に施すことができる。
【００１２】
次に実施例１とは突起３の形状を相違する実施例２を説明すると、図４は実施例２の突起４を示し、突起４は、ナイロン６からなり、太さ２４５デシテックス、高さ２．３ｍｍのループ状に立設されて、その頂部が切り欠かれて、絡み部４ａとされている。そして絡み部４ａが髪と絡みついて十分な保持力を有するように、突起４の密度は約１５本／ｃｍ２とされている。
【００１３】
図５は、上述した突起３の他の実施例を示し、（ａ）は支柱３０ａの上端にキノコ状の絡み部３０ｂからなる突起３０とした例である。（ｂ）は支柱３２ａの上部を左右に枝分かれさせた絡み部３２ｂを設けた突起物３２の例である。（ｃ）は支柱３３ａの先端を下向きとなるまで湾曲してフック状にした絡み部３３ｂを設けた突起物３３の例である。（ｄ）は実施例２の変形例であり、ループ状の突起３１は、その側部を切り欠いた絡み部３１ａを形成している。側部に絡み部３１ａを設けることによって、実施例２との対比で、髪の毛との保持力が大きくなる。このように突起物の形状は適宜選択することができる。
【００１４】
図６〜図１０は上述した基体シート２の他の実施例を示し、図６に示す実施例では、図の上下縁を前髪の生え際に沿うように凹状１０ａとして、額の中央上部の位置で使用するに適した髪留めシート１０としている。また、基体シート２の周縁には突起３を設けない領域を設けている。
【００１５】
図７に示す実施例は、図６と同様に額の中央上部の位置で使用するのに適した髪留めシート１１であって、図の上下縁中央にＶ字状に切り込んだ切り込み１１ａを形成した形状としている。
【００１６】
図８に示す実施例の髪留めシート１２は、装飾を目的として、基体シート２に大小２つのハート形の抜き孔１２ａを設けた例である。
【００１７】
図９及び図１０に示す実施例は、基体シート２の裏面に装飾を施した例であって、図９に示す髪留めシート１３は装飾シート１３ａを貼付した例である。また、図１０に示す髪留めシート１４は、装飾用の装飾用プラスチック玉１４ａを貼付した例である。
【図面の簡単な説明】
【００１８】
【図１】使用状態を示す参考図
【図２】実施例１の斜視図
【図３】実施例１の突起３を模式的に示す拡大図
【図４】実施例２の突起４を模式的に示す拡大図
【図５】突起の他の実施例を示す拡大図
【図６】図６〜図１０は基体シートの他の実施例を示し、図６は前髪の生え際に沿った形状とした表面図
【図７】前髪の生え際に沿った形状とした実施例の表面図
【図８】抜き孔を形成した実施例の表面図
【図９】装飾シートを貼付した実施例の裏面図
【図１０】装飾用プラスチック玉を貼付した実施例の裏面図
【符号の説明】
【００１９】
１…髪留めシート
２…基体シート
３…突起
３ａ…支柱
３ｂ…絡み部
【図１】
2009082691.tif 000003
【図２】
2009082691.tif 000004
【図３】
2009082691.tif 000005
【図４】
2009082691.tif 000006
【図５】
2009082691.tif 000007
【図６】
2009082691.tif 000008
【図７】
2009082691.tif 000009
【図８】
2009082691.tif 000010
【図９】
2009082691.tif 000011
【図１０】
2009082691.tif 000012